(57)【特許請求の範囲】
【請求項１】
基地局からの報知情報に基づいて更新される予め複数の地域の電話番号情報をメモリに記憶しておき、該メモリから所望の電話番号情報を読み出して利用する移動電話端末において、基地局からの報知情報に基づいて移動電話端末の現在位置を得て、現在位置が属する地域を特定し、基地局に要求したときにのみ上記電話番号情報を受信し、メモリに記憶した複数の電話番号情報の中から当該地域のそれを選択するようにしたことを特徴とする移動電話端末の電話番号情報メモリ方法。
【発明の詳細な説明】
【０００１】
【発明の属する技術分野】
本発明は、移動端末にメモリされた電話番号情報を、効率的に更新する方法に関する。
【０００２】
【従来の技術】
近年通信の自由化が進み、 移動無線電話システムにおいて、様々な機能をもつ自動車・携帯電話機が使われている。その機能の一つに電話番号のメモリ機能、いわゆるメモリダイヤルがある。このメモリダイヤルは、通常よくかける電話番号を電話機のメモリに記憶保持し、必要な場合に、所望の電話番号を呼び出しディスプレー上に表示する、あるいは、その電話番号をオートダイヤルするといった機能である。
通常、移動無線電話システムにおいては、基地局から移動端末に対して、制御チャネル構造に関する情報、待ち受けチャネルの決定に関する情報、規制情報等の「報知情報」が、通信用物理チャネルとは別に設定された制御用物理チャネルをとおして常時報知されており、移動端末 は該報知情報を間欠的に受信している。
上記報知情報の中の電話番号に関するメッセージとしては、例えば、米国ＰＣＳ(Personal Communication System) のＰＡＣＳ(Personal Access Communiミcation System) 方式に基づく移動体通信システムにおいては、「緊急電話番号情報」が含まれている。また、国内においては、デジタル方式自動車電話システム（ＲＣＲ  ＳＴＤ−２７Ｄ）における報知情報の一つに「拡張情報要素」があり（ ＲＣＲ  ＳＴＤ−２７Ｄ  表４．３．５．２−２４参照）、該拡張情報要素のメッセージ内容は、該規格（ＲＣＲ  ＳＴＤ−２７Ｄ）においては規定されているものではないが、電話番号情報を含めることが提案されている。
この提案は、基地局からの報知情報の中の他のメッセージの「網番号」や「位置番号」等の位置情報によって識別される地域における特定の施設の電話番号情報を、上記拡張情報要素に含めて通報し、移動端末は該拡張情報要素を受信し、上記電話番号情報をメモリダイヤルに保持して利用するというものである。
図６は、上記提案で示されたメモリダイヤルに保持された電話番号の例である。
同図において、例えばメモリａにはタクシー会社、メモリｂには病院、メモリｃには郵便局、メモリｘにはバス会社のそれぞれの電話番号がメモリされ、かつ、各メモリにメモリされる施設の種類は、移動端末機が位置を移動しても変わらない。即ち、どの地域においても、常にａにはタクシー会社、ｂには病院、ｃには郵便局、ｘにはバス会社のそれぞれの電話番号が、基地局からの報知情報をもとに更新され、メモリされる。
従って、どこにいてもａの番号に電話をかければ、どの地域にいるか、電話番号が何かを意識せずに、タクシーを呼ぶことができる。
【０００３】
【発明が解決しようとする課題】
しかしながら、上述した従来のメモリ方法では以下のような欠点があった。
即ち、基地局は報知情報を、制御用物理チャネルをとおして常に送信しているため、電話番号情報を報知情報に含めて送信することは、電波の利用効率が悪いという問題があった。
また、移動端末は、該移動端末が一時的に通過する地域では、その地域の電話番号情報は必要ないにも拘わらず、電話番号情報を更新してしまい、その結果、移動端末の内部処理が増加し、バッテリーの消耗が激しいという問題もあった。本発明は、上記課題を解決するためになされたものであって、移動無線システムにおける電波の利用効率を向上し、かつ、移動端末自体のバッテリーの消耗を防ぎながら周辺の電話番号情報をメモリする方法を提供することを目的とする。
【０００４】
【課題を解決するための手段】
上記課題を解決するため、請求項１の発明においては、基地局からの報知情報に基づいて更新される予め複数の地域の電話番号情報をメモリに記憶しておき、該メモリから所望の電話番号情報を読み出して利用する移動電話端末において、基地局からの報知情報に基づいて移動電話端末の現在位置を得て、現在位置が属する地域を特定し、基地局に要求したときにのみ上記電話番号情報を受信し、メモリに記憶した複数の電話番号情報の中から当該地域のそれを選択するようにしたことを特徴とする。
【０００５】
【発明の実施の形態】
以下、本発明を図面に示した実施の形態に基づいて詳細に説明する。
図１は、本発明に係わる方法に基づく携帯電話機の実施の一形態例を示す構成概要図である。
同図に示すように、上記携帯電話機は、無線部１、ディスプレイ２、キー３、メモリ４及び制御部５で構成し、無線部１は基地局からの受信データを上記制御部５に送り、あるいは該制御部５で作成したデータを基地局に送信する。メモリ４は電話番号等の情報を格納保持し、ディスプレイ２はキー３で選択された電話番号等を表示する。制御部５は、上記の携帯電話機の各部を制御する。
次に、上記携帯電話機の電話番号情報をメモリする際の動作を、図２のフローチャート及び図３のシーケンス図に基づいて説明する。
図２において、まず、電話番号情報の更新のため、携帯電話機からデータベースに電話をかける（ＳＴ１）。
すると、該携帯電話機は図３に示す所定シーケンスに従って、制御チャネルから通信チャネルへ移行する（ＳＴ２）。
すなわち、図３において、携帯電話機が「発信無線状態報告＋呼設定」信号を基地局に送ると、基地局が「呼設定受付」信号を上記携帯電話機に送る。続いて基地局が「認証要求」信号を送ると、携帯電話機はそれに応答して「認証応答」信号を返送する。該認証が正常であると、基地局は「無線チャネル指定」を送って制御用物理チャネルから通信用物理チャネルへ移行する。その結果、携帯電話機は基地局から指定された通信用物理チャネルへ移行し、データベースと接続される。
携帯電話機は、無線部１によってデータベースから周辺の電話番号情報をデータ信号で、あるいは該データ信号とともに音声信号で受信する（ＳＴ３）。
受信した電話番号情報をメモリ４に記憶格納する（ＳＴ４）。
受信が終わるとデータベースとの接続を切り、待受状態に戻る（ＳＴ５）。
以上説明したように、本発明によれば、基地局は、電話番号情報を更新しようとする携帯電話がある時のみ、通信用物理チャネルで電話番号情報を送信すればよい。
なお、複数地域の電話番号情報をメモリしておきたい場合は、メモリ４内に複数のメモリ領域を設ければよい。
【０００６】
図４及び図５は、本発明に係わる方法による携帯電話機の他の形態例の構成概要図及び動作のフローチャートである。
図４に示すように、本発明では、上記携帯電話機は、無線部１、ディスプレイ２、キー３、メモリ４及び制御部５で構成し、上記メモリ４は複数の地域の電話番号情報を格納保持する地域Ａメモリ４１、地域Ｂメモリ４２、地域Ｃメモリ４３、及び選択された地域メモリ４４を備え、ディスプレイ２には、キー３の操作で選択された地域メモリ４４の電話番号等を表示する。
制御部５は接続されている各部を制御するとともに、報知情報に含まれる網番号、位置番号等の位置情報から現在位置を判定する位置判定部５１、及び現在位置に対応する電話番号情報を、メモリ４内の前記の各地域の電話番号情報から選択する情報選択部５２を備えている。
他のブロックの機能及び接続は、請求項１の発明と同様であるので説明は省略する。
図５は、図４の携帯電話機の電話番号情報メモリを更新する動作のフローチャートである。
図４及び図５に基づいて、あらかじめデータベースから得た電話番号情報のメモリを更新する動作を説明する。
図５において、携帯電話機は、基地局からの報知情報を無線部１で受信する（ＳＴ１１）。
該報知情報に含まれる位置情報を基に、制御部５の位置判定部５１で、携帯電話機の現在位置を判定する（ＳＴ１２）。
あらかじめメモリ４の地域メモリ４１、４２、４３・・に記憶された複数の電話番号情報の中から、情報選択部５２で携帯電話機の現在位置に対応する電話番号情報を記憶した地域メモリを一つ選択する（ＳＴ１３）。
選択した地域メモリ内の電話番号情報を読み出し、これを選択された地域メモリ４４に上書きすることによってメモリ内容を更新する（ＳＴ１４）。
上記説明においては、メモリ４に格納保持される電話番号情報は、ある特定の施設についての複数地域における電話番号情報であるが、複数の施設の電話番号情報を格納保持する場合は、メモリ４内に複数組の地域メモリ及び選択された地域メモリ領域を設ければよい。
また、各地域メモリの電話番号情報は、事前に第１の実施形態の要領でデータベースから情報を得て格納保持しておいたものでもよいし、携帯電話機の製造時に予め記憶させておいたものであってもよい。
【０００７】
【発明の効果】
以上説明したように、請求項１記載の方法では、報知情報の中に電話番号情報を含む必要がないのみならず、メモリの更新において通信用物理チャネルを使用する必要もない。従って、電波の利用効率を大いに向上することができる。一方、携帯電話機においては、電話番号情報のメモリの更新は必要のときだけ行うので、携帯電話機自体のバッテリーの消耗も少なくなり、長寿命の携帯電話機を提供できるという著しい効果がある。
【図面の簡単な説明】
【図１】本発明に係わる方法に基づく携帯電話機の実施の一形態例を示す構成概要図
【図２】図１の携帯電話機の電話番号情報メモリ動作のフローチャート
【図３】制御チャネルから通信チャネルへ移行するシーケンス図
【図４】本発明に係わる方法に基づく携帯電話機の他の実施例を示す構成概要図
【図５】図４の携帯電話機の電話番号情報メモリ更新動作のフローチャート
【図６】従来技術の携帯電話機のメモリダイヤルに保持された電話番号の例
【符号の説明】
１・・無線部、        ２・・ディスプレイ、    ３・・キー、
４・・メモリ、        ５・・ 制御部、         ４１・・地域Ａメモリ
４２・・地域Ｂメモリ、２３・・地域Ｃメモリ、  ４４・・選択された地域
メモリ                ５１・・位置判定部、    ５２・・情報選択部
【図１】
0003830061.tif 000002
【図２】
0003830061.tif 000003
【図３】
0003830061.tif 000004
【図４】
0003830061.tif 000005
【図５】
0003830061.tif 000006
【図６】
0003830061.tif 000007